(57)【要約】【課題】出湯配管や湯水混合弁の内部の自然対流の発生を防止可能であり、出湯配管や湯水混合弁を低コストで且つ簡単な構成で下り傾斜状に取り付け可能な貯湯式給湯装置を提供すること。【解決手段】貯湯式給湯装置１は、高温水と低温水の混合比率を調整可能な湯水混合手段２１を備え、湯水混合手段２１は、ケース本体２３の軸心２３Ａ方向の一端部近傍に設けられ且つ高温水を導入可能な第１導入口３１Ａと、ケース本体２３の軸心２３Ａ方向の他端部近傍に設けられ且つ低温水を導入可能な第２導入口３２Ａと、ケース本体２３の軸心方向の途中部に設けられ且つ混合湯水を吐出する導出口３３Ａとを備え、導出口３３Ａは、ケース本体２３の軸心２３Ａ方向と直交する方向に開口するようにケース本体２３に設けられ、湯水混合手段２１は、第１導入口３１Ａが第２導入口３２Ａよりも高い位置に設定されると共に導出口３３Ａが斜め下方に向くように組付けられている。【選択図】図４
2014105949.tif 000002
【特許請求の範囲】
【請求項１】
貯湯タンクの上部から出湯される高温水と、この高温水より温度が低い低温水とを混合して混合湯水を出湯するように構成された貯湯式給湯装置であって、ケース本体内の軸心方向に進退移動する弁体を介して前記高温水と前記低温水の混合比率を調整可能な湯水混合手段を備えた貯湯式給湯装置において、
前記湯水混合手段は、前記ケース本体の軸心方向の一端部近傍に設けられ且つ前記高温水を導入可能な第１導入口と、前記ケース本体の軸心方向の他端部近傍に設けられ且つ前記低温水を導入可能な第２導入口と、前記ケース本体の軸心方向の途中部に設けられ且つ前記混合湯水を吐出する導出口とを備え、
前記導出口は、前記ケース本体の軸心方向と直交する方向に開口するように前記ケース本体に設けられ、前記湯水混合手段は、前記第１導入口が前記第２導入口よりも高い位置に設定されると共に前記導出口が斜め下方に向くように組付けられていることを特徴とする貯湯式給湯装置。
【請求項２】
前記貯湯タンクの上端部分はドーム状の鏡板で構成され、
前記鏡板の中心部から径方向に離間した位置に前記鏡板の表面に対して直交する方向に開口し且つ前記高温水を吐出する吐出口が設けられると共に、前記吐出口は前記第１導入口に接続され、
前記湯水混合手段は、前記吐出口の開口方向と前記ケース本体の軸心とが直交するように組付けられていることを特徴とする請求項１に記載の貯湯式給湯装置。
【発明の詳細な説明】
【技術分野】
【０００１】
本発明は貯湯式給湯装置に関し、特に貯湯タンクの上側に組付けられる出湯配管と湯水混合弁の内部に自然対流が発生するのを防止する構造を備えたものに関する。
【背景技術】
【０００２】
従来から、貯湯式給湯装置は、湯水を貯留する大容量の貯湯タンクと、この貯湯タンクの下部に接続された給水配管及び上部に接続された出湯配管と、前記貯湯タンクの下部から熱源機を経由して貯湯タンクの上部へ水を循環させて加熱する循環加熱配管等を有する。前記熱源機としては、ヒートポンプユニットや燃料電池発電ユニットの排熱回収熱交換器等が活用される。
【０００３】
ところで、貯湯タンクに対する出湯配管の接続構造として、例えば、特許文献１の給湯機では、貯湯タンクの上端部の中心部に上方に開口した吐出口が設けられ、この吐出口にＴ字状の継手部材が設けられ、この継手部材の水平方向に向かって開口した給湯口に出湯配管が接続されて高温の湯水が出湯される構造が開示されている。尚、Ｔ字状の継手部材の上方の開口には、圧力逃し弁が設けられている。
【０００４】
また、貯湯タンクの上側において、出湯配管の途中部には、貯湯タンクの上部から出湯される高温水とこの高湯水より温度が低い低温水とを混合する湯水混合弁が設けられている場合がある。この湯水混合弁は、高温水と低温水の比率を調整しながら混合調温して所望の温度の湯水を生成して給湯栓等から供給する。この湯水混合弁の構造は、一般的に特許文献２で開示されているような混合弁が広く採用されている。
【先行技術文献】
【特許文献】
【０００５】
【特許文献１】特公平７−３５９２７号公報
【特許文献２】特開２００６−２６６４０３号公報
【発明の概要】
【発明が解決しようとする課題】
【０００６】
特許文献１の貯湯タンクの吐出口の構造の場合、出湯配管はＴ字状の継手部材を介して吐出口に接続される構造上、出湯配管は貯湯タンクの上側を水平方向に延びるように組付けられることになる。出湯配管の途中部に設置される湯水混合弁も同様に、湯水が導入される導入口の開口方向や混合湯水を吐出する導出口の開口方向が水平方向に夫々向いた水平状態に組付けられる場合が多い。
【０００７】
しかし、貯湯タンクの上側において、出湯配管や湯水混合弁を水平状態になるように組付けると、出湯を停止した瞬間、出湯配管や湯水混合弁の内部で低温水と高温水との比重差による自然対流が発生し、出湯配管の上流側の高温水の温度が低下したり、下流側の低温水の温度が上昇したり、貯湯タンク内の上端部に低温水が流入してしまう虞がある。このため、再度の出湯の際に冷水サンドイッチ現象が発生することによって、出湯特性が悪化するという問題がある。
【０００８】
そこで、出湯配管や湯水混合弁の内部に自然対流を発生させないように、貯湯タンクの上側の吐出口近傍部の出湯配管を、湯水の比重差を考慮して下り傾斜状に組付ける必要があるが、既存の直管状の配管を使用して出湯配管を下り傾斜状に組付ける為には、出湯配管を曲げ加工しなければならず、配管作業に手間がかかり製造コストが上昇してしまう上、貯湯タンクの上側の配管構造が複雑化してしまう虞がある。
【０００９】
本発明の目的は、貯湯タンクの上側において、出湯配管や湯水混合弁の内部の自然対流の発生を防止可能な貯湯式給湯装置を提供すること、出湯配管や湯水混合弁を低コストで且つ簡単な構成で下り傾斜状に取り付け可能な貯湯式給湯装置を提供すること、等である。
【課題を解決するための手段】
【００１０】
請求項１の貯湯式給湯装置は、貯湯タンクの上部から出湯される高温水と、この高温水より温度が低い低温水とを混合して混合湯水を出湯するように構成された貯湯式給湯装置であって、ケース本体内の軸心方向に進退移動する弁体を介して前記高温水と前記低温水の混合比率を調整可能な湯水混合手段を備えた貯湯式給湯装置において、前記湯水混合手段は、前記ケース本体の軸心方向の一端部近傍に設けられ且つ前記高温水を導入可能な第１導入口と、前記ケース本体の軸心方向の他端部近傍に設けられ且つ前記低温水を導入可能な第２導入口と、前記ケース本体の軸心方向の途中部に設けられ且つ前記混合湯水を吐出する導出口とを備え、前記導出口は、前記ケース本体の軸心方向と直交する方向に開口するように前記ケース本体に設けられ、前記湯水混合手段は、前記第１導入口が前記第２導入口よりも高い位置に設定されると共に前記導出口が斜め下方に向くように組付けられていることを特徴としている。
【００１１】
請求項２の貯湯式給湯装置は、請求項１の発明において、前記貯湯タンクの上端部分はドーム状の鏡板で構成され、前記鏡板の中心部から径方向に離間した位置に前記鏡板の表面に対して直交する方向に開口し且つ前記高温水を吐出する吐出口が設けられると共に、前記吐出口は前記第１導入口に接続され、前記湯水混合手段は、前記吐出口の開口方向と前記ケース本体の軸心とが直交するように組付けられていることを特徴としている。
【発明の効果】
【００１２】
請求項１の発明によれば、湯水混合手段の導出口は、ケース本体の軸心方向と直交する方向に開口するようにケース本体に設けられ、湯水混合手段は、高温水側の第１導入口が低温水側の第２導入口よりも高い位置に設定されると共に導出口が斜め下方に向くように組付けられているので、湯水混合手段を下り傾斜状に組付けることで、簡単な構成で自然対流の発生を抑制することができ、故に、湯水混合手段の内部の混合湯水が貯湯タンク側に逆流するのを防止したり、湯水混合手段の導出口から出湯された混合湯水が湯水混合手段側に逆流するのを防止することができるので、出湯特性を改善することができる。また、第１導入口に貯湯タンクから延びる配管を接続した状態でケース本体を回転させると導出口が斜め下方に向くので、湯水混合手段を簡単な作業で下り傾斜状に組付けることができる。
【００１３】
請求項２の発明によれば、貯湯タンクのドーム状の鏡板の中心部から径方向に離間した位置に鏡板の表面に対して直交する方向に開口し且つ高温水を吐出する吐出口が設けられ、湯水混合手段は、吐出口の開口方向とケース本体の軸心とが直交するように組付けられているので、既存の直管状の配管を出湯配管として吐出口や導出口に接続するだけ配管を下り傾斜状に組付けることができる。従って、直管状の配管の曲げ加工を必要としないので、簡単な構成で且つ低コストで貯湯タンクの吐出口近傍の配管や湯水混合手段近傍の配管を下り傾斜状に設けることができる。
【図面の簡単な説明】
【００１４】
【図１】実施例に係る貯湯式給湯装置の概略構成図である。
【図２】貯湯タンクの平面図である。
【図３】図２のＡ矢視図である。
【図４】図２のＢ矢視図である。
【図５】出湯配管と高温側湯水混合弁と低温側湯水混合弁の断面図である。
【図６】部分変更形態に係る出湯配管と高温側湯水混合弁と低温側湯水混合弁の断面図である。
【発明を実施するための形態】
【００１５】
以下、本発明を実施するための形態について実施例に基づいて説明する。
【実施例】
【００１６】
先ずは、貯湯式給湯装置１の全体構成について説明する。
図１に示すように、貯湯式給湯装置１は、貯湯、給湯等の機能を有するものであり、貯湯タンク５、給水配管６、出湯配管７、貯湯タンク５の下部から外部熱源機２を経由して貯湯タンク５の上部へ水を循環させて加熱する循環加熱回路８、高温側湯水混合弁２１及び低温側湯水混合弁２２、これらを収納する外装ケース１０（図２参照）等を備え、貯湯タンク５の上部から出湯される高温水と、この高温水より温度が低い低温水とを混合して混合湯水を出湯するように構成されている。尚、外部熱源機２としては、ヒートポンプ式熱源機や燃料電池発電ユニットの排熱回収熱交換器等が活用される。
【００１７】
貯湯タンク５は、外部熱源機２で加熱された高温の温水（例えば、８０〜９０℃）を貯留可能な上下方向に細長い密閉タンクで構成され、貯留された湯水の放熱を防ぐ為にタンク周囲は断熱材で覆われている。貯湯タンク５内の複数の貯留層の湯水の温度が複数の貯湯水温度センサ１１ａ〜１１ｅにより検出される。
【００１８】
図１〜図４に示すように、貯湯タンク５は、縦長筒状の外周面を有し且つ耐腐食性に優れたステンレス板製の胴部材５ａと、この胴部材５ａの上下両端部分を塞ぐ１対のドーム状の鏡板５ｂ，５ｃとから一体的に構成されている。
【００１９】
貯湯タンク５の上端部分の鏡板５ｂには、出湯配管７の上流端が接続される吐出口１２と、循環加熱回路８の下流端が接続される循環用戻り側接続口１３とが形成され、貯湯タンク５の下端部分の鏡板５ｃには、給水配管６の下流端が接続される給水口１４と、循環加熱回路８の上流端が接続される循環用往き側接続口１５とが形成されている。尚、貯湯タンク５の上側の配管構造については後述する。
【００２０】
給水配管６は、上水源から低温の上水を貯湯タンク５に供給するものであり、上流端が上水源に接続され、貯湯タンク５の下部に下流端が接続されている。給水配管６には、貯湯タンク５へ上水を供給する為の開閉弁１６が設けられており、通常は開閉弁１６が開弁されていて、上水を貯湯タンク５内に供給するようになっている。
【００２１】
出湯配管７は、貯湯タンク５内に貯湯された湯水を給湯栓１７等の所望の給湯先に供給するものであり、高温の湯水が流れる上流出湯配管７ａ、高温の湯水と中温の湯水が混合された混合湯水が流れる中間出湯配管７ｂ、混合湯水と水が混合された混合湯水が流れる下流出湯配管７ｃを有し、下流出湯配管７ｃの下流端に給湯栓１７が接続されている。
【００２２】
図１〜図５に示すように、上流出湯配管７ａと中間出湯配管７ｂとの間には高温側湯水混合弁２１が設置され、この高温側湯水混合弁２１に貯湯タンク５の中段部から延びる中温湯水配管１８の下流端が接続されている。中間出湯配管７ｂと下流出湯配管７ｃとの間には低温側湯水混合弁２２が設置され、この低温側湯水混合弁２２に給水配管６から分岐したバイパス通路１９の下流端が接続されている。
【００２３】
循環加熱回路８は、外部熱源機２と貯湯タンク５との間に湯水を循環させる閉回路であり、往き側通路８ａ、戻り側通路８ｂを有し、貯湯タンク５の下部に往き側通路８ａの上流端が接続され、貯湯タンク５の上部に戻り側通路８ｂの下流端が接続されている。往き側通路８ａには、循環ポンプ８ｃが設置されている。
【００２４】
次に、高温側湯水混合弁２１の構造について説明する。
図５に示すように、高温側湯水混合弁２１（湯水混合手段に相当する）は、略円筒状に構成されたケース本体２３、このケース本体２３の内部の混合室２４、混合室２４内を貫通する弁軸２５、この弁軸２５を進退駆動する為の駆動モータ２６、前記弁軸２５に設けられ且つケース本体２３内の軸心２３Ａ方向に進退移動する弁体２７、この弁体２７に対応する弁座２８ａ，２８ｂ、ケース本体２３の軸心２３Ａ方向の一端部近傍に設けられた第１導入口３１Ａ、ケース本体２３の軸心２３Ａ方向の他端部近傍に設けられた第２導入口３２Ａ、ケース本体２３の軸心２３Ａ方向の途中部に設けられた導出口３３Ａ等を備えている。
【００２５】
第１導入口３１Ａと第２導入口３２Ａと導出口３３Ａに関して、さらに具体的に、第１導入口３１Ａは、駆動モータ２６とは反対側の端部であって軸心２３Ａ方向と平行な方向に開口するようにケース本体２３に設けられている。第２導入口３２Ａは、駆動モータ２６側の端部近傍であって軸心２３Ａ方向と直交する方向に開口するようにケース本体２３に設けられている。導出口３３Ａは、ケース本体２３の軸心２３Ａ方向と直交する方向に且つ第２導入口３２Ａとは反対側に開口するように設けられている。
【００２６】
図５に示すように、高温側湯水混合弁２１は、上流出湯配管７ａが接続された第１導入口３１Ａに高温水として貯湯タンク５の上部の高温の湯水が導入され、中温湯水配管１８が接続された第２導入口３２Ａに低温水として貯湯タンク５の中段部の中温の湯水が導入され、混合室２４において弁体２７を介して混合比率が調整された混合湯水が導出口３３Ａから中間出湯配管７ｂに吐出されるように構成されている。
【００２７】
次に、低温側湯水混合弁２２の構造について説明する。
図５に示すように、低温側湯水混合弁２２（湯水混合手段に相当する）は、基本的に高温側湯水混合弁２１と同じ構造のものであり、ケース本体２３、混合室２４、弁軸２５、駆動モータ２６、弁体２７、弁座２８ａ，２８ｂ、ケース本体２３の軸心２３Ｂ方向の駆動モータ２６とは反対側の一端部近傍に設けられた第１導入口３１Ｂ、ケース本体２３の軸心２３Ｂ方向の駆動モータ２６側の他端部近傍に設けられた第２導入口３２Ｂ、ケース本体２３の軸心２３Ｂ方向の途中部に設けられ且つ第２導入口３２Ｂとは反対側に開口する導出口３３Ｂ等を備えている。
【００２８】
図５に示すように、低温側湯水混合弁２２は、中間出湯配管７ｂが接続された第１導入口３１Ｂに高温水として高温側湯水混合弁２１の混合湯水が導入され、バイパス通路１９が接続された第２導入口３２Ｂに低温水として上水源から低温の上水が導入され、混合室２４において弁体２７を介して混合比率を調整された混合湯水が導出口３３Ｂから下流出湯配管７ｃに吐出されるように構成されている。
【００２９】
貯湯式給湯装置１の給湯運転は給湯栓１７の開栓と共に開始される。貯湯式給湯装置１において、上水源の水圧により上水が給水配管６から貯湯タンク５内の下部に入り込み、これにより、高温の湯水と中温の湯水とを混合する場合は、高温の湯水が貯湯タンク５内の上部から上流出湯配管７ａに押し出され、中温の湯水が貯湯タンク５内の中段部から中温湯水配管１８に押し出され、これら押し出された湯水は高温側湯水混合弁２１に導入される。
【００３０】
次に、高温側湯水混合弁２１で混合された混合湯水は、低温側湯水混合弁２２に導入され、上水はバイパス通路１９を介して低温側湯水混合弁２２に導入される。出湯温度が指令温度になるように、高温側湯水混合弁２１を介して混合される高温の湯水と中温の湯水の流量比が制御され、低温側湯水混合弁２２を介して混合される混合湯水と水の流量比が夫々制御される。尚、高温側湯水混合弁２１だけを作動させて混合湯水を生成するように制御しても良いし、低温側湯水混合弁２２だけを作動させて混合湯水を生成するように制御しても良い。
【００３１】
次に、貯湯タンク５の上端部分の鏡板５ｂ上の出湯配管７と高温側湯水混合弁２１と低温側湯水混合弁２２の取り付け構造について説明する。
図２〜図４に示すように、貯湯タンク５の高温の湯水を吐出する吐出口１２が、鏡板５ｂの中心部から径方向に離間した位置に鏡板５ｂの表面に対して直交する方向に開口するように設けられている。即ち、吐出口１２は、この吐出口１２を接点とする接線３５と直交する方向に開口している（図４参照）。
【００３２】
この吐出口１２には、Ｌ字状の継手部材１２ａが設けられている。この継手部材１２ａの一端部は、吐出口１２に接続され、他端部は接線３５と平行な方向で且つ傾斜方向の下方に向けて開口され、この他端部に出湯配管７の上流出湯配管７ａの上流端が接続されている。上流出湯配管７ａは下り傾斜状に真っ直ぐ延び、その下流端が高温側湯水混合弁２１の第１導入口３１Ａに接続されている。
【００３３】
吐出口１２は、継手部材１２ａと上流出湯配管７ａを介して高温側湯水混合弁２１の第１導入口３１Ａに接続され、高温側湯水混合弁２１は、吐出口１２の開口方向（図４の矢印ａが示す方向）とケース本体２３の軸心２３Ａとが直交するように組付けられている。即ち、高温側湯水混合弁２１は、第１導入口３１Ａが第２導入口３２Ａよりも高い位置に設定される。さらに、高温側湯水混合弁２１は、導出口３３Ａが斜め下方に向くように組付けられている（図３，図４参照）。高温側湯水混合弁２１の第２導入口３２Ａには、中温湯水配管１８の下流端が接続されている。
【００３４】
図３，図４に示すように、高温側湯水混合弁２１の導出口３３Ａには、中間出湯配管７ｂの上流端が接続され、この中間出湯配管７ｂは下り傾斜状に真っ直ぐに延び、その下流端が低温側湯水混合弁２２の第１導入口３１Ｂに接続されている。即ち、低温側湯水混合弁２２の第１導入口３１Ｂは、高温側湯水混合弁２１の導出口３３Ａに同軸状に接続されている。
【００３５】
低温側湯水混合弁２２は、中間出湯配管７ｂを介して高温側湯水混合弁２１に連続的に接続され、低温側湯水混合弁２２は、そのケース本体２３の軸心２３Ｂと高温側湯水混合の軸心２３Ａとが直交するように組付けられている。即ち、低温側湯水混合弁２２は、第１導入口３１Ｂが第２導入口３２Ｂよりも高い位置に設定される。さらに、低温側湯水混合弁２２は、導出口３３Ｂが斜め下方に向くように組付けられている（図３，図４参照）。第２導入口３２Ｂには、バイパス通路１９の下流端が接続され、導出口３３Ｂには、下流出湯配管７ｃの上流端が接続されている。
【００３６】
次に、本発明の貯湯式給湯装置１の作用及び効果について説明する。
貯湯タンク５の上端部分の鏡板５ｂの上側に出湯配管７と高温側湯水混合弁２１と低温側湯水混合弁２２とを組付ける場合、先ずは、吐出口１２に設けられたＬ字状の継手部材１２ａに、出湯配管７の直管状の上流出湯配管７ａを接続し、この下り傾斜状の上流出湯配管７ａに高温側湯水混合弁２１の第１導入口３１Ａを接続する。この状態で、高温側湯水混合弁２１をケース本体２３の軸心２３Ａを軸として回転させることで、導出口３３Ａが斜め下方に向くように調整し、高温側湯水混合弁２１を下り傾斜姿勢にて取り付ける。次に、高温側湯水混合弁２１の第２導入口３２Ａに、中温湯水配管１８を接続する。
【００３７】
次に、高温側湯水混合弁２１の斜め下方に開口している導出口３３Ａに直管状の中間出湯配管７ｂを接続し、下り傾斜状の中間出湯配管７ｂに低温側湯水混合弁２２の第１導入口３１Ｂを接続する。この状態で、低温側湯水混合弁２２をケース本体２３の軸心２３Ｂを軸として回転させることで、導出口３３Ｂが斜め下方に向くように調整し、低温側湯水混合弁２２を下り傾斜姿勢に取り付ける。次に、低温側湯水混合弁２２の第２導入口３２Ｂに、バイパス通路１９を接続し、低温側湯水混合弁２２の斜め下方に開口している導出口３３Ｂに下流出湯通路７ｃを接続する。
【００３８】
このように、出湯配管７と高温側湯水混合弁２１と低温側湯水混合弁２２との配列関係が、高い方から低い方に向って順に出湯配管７の上流出湯配管７ａ、高温側湯水混合弁２１の高温の湯水が導入される第１導入口３１Ａ、高温の湯水と中温の湯水の中間温度の混合湯水が導出される導出口３３Ａ、中温の湯水が導入される第２導入口３２Ａ、出湯配管７の中間出湯配管７ｂ、低温側湯水混合弁２２の中間温度の混合湯水が導入される第１導入口３１Ｂ、中間温度の混合湯水と低温の上水とで調温された混合湯水が導出される導出口３３Ｂ、低温の上水が導入される第２導入口３２Ｂとなり、上流側から下流側に向って温度の下降勾配が形成されるので、出湯が停止された際にこれらの内部に滞留する高温水と低温水による自然対流の発生が防止される。
【００３９】
以上説明したように、高温側湯水混合弁２１及び低温側湯水混合弁２２の導出口３３Ａ，３３Ｂは、ケース本体２３の軸心２３Ａ，２３Ｂ方向と直交する方向に開口するようにケース本体２３に設けられ、高温側湯水混合弁２１及び低温側湯水混合弁２２は、高温水側の第１導入口３１Ａ，３１Ｂが低温水側の第２導入口３２Ａ，３２Ｂよりも高い位置に設定されると共に導出口３３Ａ，３３Ｂが斜め下方に向くように組付けられている。
【００４０】
従って、高温側湯水混合弁２１及び低温側湯水混合弁２２を下り傾斜状に組付けることで、簡単な構成で自然対流の発生を抑制することができ、故に、高温側湯水混合弁２１及び低温側湯水混合弁２２の内部の混合湯水が貯湯タンク５側に逆流するのを防止したり、高温側湯水混合弁２１及び低温側湯水混合弁２２の導出口３３Ａ，３３Ｂから出湯された混合湯水が逆流するのを防止することができるので、出湯特性を改善することができる。また、第１導入口３１Ａ，３１Ｂに貯湯タンク５から延びる配管を接続した状態でケース本体２３を回転させると導出口３３Ａ，３３Ｂが斜め下方に向くので、高温側湯水混合弁２１及び低温側湯水混合弁２２を簡単な作業で下り傾斜状に組付けることができる。
【００４１】
さらに、貯湯タンク５のドーム状の鏡板５ｂの中心部から径方向に離間した位置に鏡板５ｂの表面に対して直交する方向に開口し且つ高温水を吐出する吐出口１２が設けられ、高温側湯水混合弁２１及び低温側湯水混合弁２２は、吐出口１２の開口方向とケース本体２３の軸心２３Ａ，２３Ｂとが直交するように組付けられているので、既存の直管状の配管を出湯配管７として吐出口１２や導出口３３Ａに接続するだけ配管を下り傾斜状に組付けることができる。従って、直管状の配管の曲げ加工を必要としないので、簡単な構成で且つ低コストで貯湯タンク５の吐出口１２近傍の配管や高温側湯水混合弁２１及び低温側湯水混合弁２２近傍の配管を下り傾斜状に設けることができる。
【００４２】
次に、前記実施例を部分的に変更する例について説明する。
［１］前記実施例において、湯水混合手段として、高温側湯水混合弁２１と低温側湯水混合弁２２とが組付けられているが、特にこの構造に限定する必要はなく、貯湯タンク５の上部の高温の湯水と水とを混合して混合湯水を生成する１つの湯水混合弁を組付け、この湯水混合弁に本発明の構造を適用しても良い。
【００４３】
［２］前記実施例の高温側湯水混合弁２１と低温側湯水混合弁２２において、ケース本体２３の駆動モータ２６とは反対側の端部を一端部として、ケース本体２３の駆動モータ２６側の端部を他端部として説明しているが、これに限定する必要はなく、実施例とは逆構造となるように、ケース本体２３の駆動モータ２６側の端部を一端部として、ケース本体２３の駆動モータ２６とは反対側の端部を他端部としても良い。
【００４４】
つまり、図６に示すように、高温側湯水混合弁２１と低温側湯水混合弁２２において、第１導入口３１Ａ，３１Ｂは、ケース本体２３の軸心２３Ａ，２３Ｂ方向の一端部近傍であって軸心２３Ａ方向と直交する方向に開口するようにケース本体２３に設けられても良く、第２導入口３２Ａ，３２Ｂは、ケース本体２３の軸心２３Ａ，２３Ｂ方向の他端部近傍であって軸心２３Ａ方向と平行な方向に開口するようにケース本体２３に設けられても良い。
【００４５】
尚、上記の構造の場合、高温側湯水混合弁２１と低温側湯水混合弁２２は、高温水側の第１導入口３１Ａ，３１Ｂが低温水側の第２導入口３２Ａ，３２Ｂよりも高い位置（ケース本体２３の駆動モータ２６側の端部の方が高い位置）に設定されると共に導出口３３Ａ，３３Ｂが斜め下方に向くように組付けられている。
【００４６】
［３］その他、当業者であれば、本発明の趣旨を逸脱することなく、前記実施例に種々の変更を付加した形態で実施可能であり、本発明はそのような変更形態を包含するものである。
【符号の説明】
【００４７】
１      貯湯式給湯装置
５      貯湯タンク
５ｂ，５ｃ      鏡板
１２    吐出口
２１    高温側湯水混合弁
２２    低温側湯水混合弁
２３    ケース本体
２３Ａ，２３Ｂ  軸心
２７    弁体
３１Ａ，３１Ｂ  第１導入口
３２Ａ，３２Ｂ  第２導入口
３３Ａ，３３Ｂ  導出口
【図１】
2014105949.tif 000003
【図２】
2014105949.tif 000004
【図３】
2014105949.tif 000005
【図４】
2014105949.tif 000006
【図５】
2014105949.tif 000007
【図６】
2014105949.tif 000008